(57)【要約】【課題】各種の放送方式を受信でき多画面表示できる受信装置において、チャンネル選択操作で混乱を生じないようにし、利用者の操作の信頼性と安定性を得る。【解決手段】複数の受信部及び複数のデコーダ１９，３０，１２Ａ−２４Ｃ，２５Ａ−２５Ｃのうち、第１、第２の受信部が選択され、その選局出力が、第１、第２のデコーダでデコードされる。信号処理部３４は、２つのデコード出力を２画面表示するための処理を行う。表示器１４は、１つの表示領域上の対応した第１、第２の分割画面にそれぞれ表示する。状態表示処理部は、表示領域の一部分に、前記複数の受信部で受信できる放送方式のマークを表示するとともに、上記の選択のために選局不可となっている放送方式のマークを区別して表示する。【選択図】      図３
2007060297.tif 000002
【特許請求の範囲】
【請求項１】
異なる放送方式の放送信号を受信する複数の受信部と、
前記複数の受信部出力をデコードするデコーダと、
前記複数の受信部及び複数のデコーダのうち、第１の受信部の選局出力が対応する第１のデコーダでデコードされ、このデコード出力を処理する信号処理部と、
前記信号処理部からの出力映像信号を表示する表示部と、
前記複数の受信部が受信する放送方式の識別情報をそれぞれ前記表示部に表示する場合、現在切換え選択できない受信部の識別情報を消去するか若しくはトーンダウンして表示し、現在選択可能な受信部の識別情報を表示若しくはハイライト表示する表示処理部と
を有したことを特徴とする放送受信装置。
【請求項２】
前記現在切換え選択できない受信部は、
記録再生装置にて番組記録のために用いられていることを特徴とする請求項１記載の放送受信装置。
【請求項３】
異なる放送方式の放送信号を受信する複数の受信部と、
前記複数の受信部に対応する複数のデコーダと、
前記複数の受信部及び複数のデコーダのうち、選択された第１、第２の受信部の選局出力が対応する第１、第２のデコーダでデコードされ、この２つのデコード出力を第１、第２の映像信号に変換処理する信号処理部と、
前記第１、第２の映像信号を１つの表示領域内の第１、第２の分割画面にそれぞれ表示する表示部と、
第１、第２の分割画面側の一部のそれぞれに、他方の分割画面用としては未使用のために一方の分割画面用として使用することが可能となる受信部が受信する放送方式識別情報を表示する表示処理部と
を有したことを特徴とする放送受信装置。
【請求項４】
前記表示処理部は、
他方の分割画面用に使用されているために一方の分割画面用として使用することが不可となっている受信部が受信する放送方式識別情報を消去若しくはトーンダウンして表示し、使用可能な受信部が受信する放送方式識別情報を表示若しくはハイライト表示することを特徴とする請求項３記載の放送受信装置。
【請求項５】
前記表示処理部は、
さらに、各分割画面に近接して、受信中の放送方式識別情報を表示することを特徴とする請求項１又は３記載の放送受信装置。
【請求項６】
さらに、複数の受信部及び複数のデコーダのテーブル格納部が設けられ、前記表示処理部は、分割画面表示処理を行い、
前記テーブルには、前記第１、第２の受信部及び前記第１、第２のデコーダの選択が決まったときに、前記他方の分割画面用に使用されるために一方の分割画面用として使用することが不可となる受信部と、使用可能な受信部の識別情報が記述されており、
前記テーブルは、装置に搭載される受信部の数及び方式、デコーダの数及び方式に応じて複数の種類のテーブルが用意されていることを特徴とする請求項１又は３記載の放送受信装置。
【請求項７】
異なる放送方式の放送信号を受信する複数の受信部と、前記複数の受信部に対応する複数のデコーダと、前記複数の受信部及び複数のデコーダのうち、選択された第１、第２の受信部の選局出力が対応する第１、第２のデコーダでデコードされ、この２つのデコード出力を第１、第２の映像信号に変換処理する信号処理部と、前記第１、第２の映像信号を１つの表示領域内の第１、第２の分割画面にそれぞれ表示する表示部と、動作を統括する制御部を有し、受信可能な放送方式を表示する方法において、
前記制御部は、
前記第１と第２の受信部及びその選局出力をデコードする第１と第２のデコーダを決定し、
前記第１、第２の分割画面側の一部にそれぞれ、他方の分割画面用としては未使用のために一方の分割画面用として使用することが可能となる受信部が受信する放送方式識別情報を表示する
ことを特徴とする受信可能な受信放送方式表示方法。
【請求項８】
前記他方の分割画面用に使用されているために一方の分割画面用として使用することが不可となっている受信部が受信する放送方式識別情報を消去若しくはトーンダウンして表示し、使用可能な受信部が受信する放送方式識別情報を表示若しくはハイライト表示することを特徴とする請求項６記載の受信可能な受信放送方式表示方法。
【請求項９】
さらに、各分割画面に近接して、受信中の放送方式識別情報を表示することを特徴とする請求項６記載の受信可能な受信放送方式表示方法。
【発明の詳細な説明】
【技術分野】
【０００１】
この発明は、放送受信装置及び受信可能な放送方式表示方法に関するもので、特に各種の放送方式を受信できる装置に適用して最適となるものである。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。また、地上アナログ放送も存在する。
【０００３】
一方、放送受信装置は、上記した各種の放送方式の信号を受信できるように、各方式に対応したチューナを内蔵した装置も開発されている。したがってユーザーは、所望の放送方式の所望のチャンネル及び番組を視聴することができる。
【０００４】
さらにまた、放送受信装置は、表示器の大型化も進み、全体の表示領域が広くなっている。このために、複数のチャンネルを同時に受信し、１つの表示領域に対して複数の画面を同時に表示することが可能である。
【０００５】
また、一般的に、表示装置では、メニュー表示機能が設けられる。メニュー表示では、各種ボタン表示をハイライト表示とトーンダウン表示することにより、選択状況を識別させている。複数のチャンネルのデータを同時に取り扱う技術としては、例えば特許文献１がある。ここでは、１つのチューナを制御して複数チャンネルのデータを同時に処理しようとするものである。
【０００６】
また、同一の表示領域に異なる放送からの情報を表示する技術として、特許文献２がある。ここでは、番組表情報の送信されている放送と番組表情報の送信されていない放送の番組表を同一画面に表示している。
【０００７】
さらにハイライト表示を行なう技術として、特許文献３がある。ここでは、録画予約しているかどうかを識別するために、番組名欄にハイライト表示技術を用いている。
【特許文献１】特開２００１−２４５２２６公報
【特許文献１】特開２００３−１９８９６１公報
【特許文献１】特開２０００−２０９５１３公報
【発明の開示】
【発明が解決しようとする課題】
【０００８】
上記したように各種の放送方式が存在し、各種の放送方式で放送された信号を１つの受信装置で受信できるような場合に次のような問題が生じる。つまり１つの表示領域で複数の分割画面を表示している状態で、ユーザーは、その他にどのような放送方式を受信できるのか混乱を招くことがある。例えば、第１の放送方式の第１チャンネルを第１のチューナで受信し、第１画面でその映像を表示中に、第１の放送方式の第２チャンネルを第１のチューナで受信し、第２画面でその映像を表示しようとしても、このことは不可能である。これは第１のチューナは、既に第１チャンネルを受信中であるからである。
【０００９】
ユーザーが、上記のような受信操作を行なった場合、ユーザーは、第２の画面に所望のチャンネルの映像を表示できないために、混乱を生じることがある。或いは、操作が間違っているのか、受信装置が故障しているのかの混乱を招くことがある。
【００１０】
また、最近では、録画機能を備えたデジタルテレビジョン受信装置が市場で販売されている。このような装置において、受信装置の画面では、アナログ地上波放送の番組を視聴し、録画装置では、ＢＳ放送の番組Ａを録画することもある。このような状態のとき、ユーザーが受信装置の表示画面でＢＳ放送の番組Ｂを視聴しようとすると、番組Ａの録画を失する場合がある。
【００１１】
そこでこの発明は、各種の放送方式の受信部を有した装置において、チャンネル選択操作で混乱を生じないようにし、利用者の操作の信頼性と安定性を得ることができる放送受信装置及び受信可能な放送方式表示方法を提供することを目的とする。
【課題を解決するための手段】
【００１２】
この発明の一実施の形態では、上記の目的を達成するために、異なる放送方式の放送信号を受信する複数の受信部と、前記複数の受信部出力をデコードするデコーダと、前記複数の受信部及び複数のデコーダのうち、第１の受信部の選局出力が対応する第１のデコーダでデコードされ、このデコード出力を処理する信号処理部と、前記信号処理部からの出力映像信号を表示する表示部と、前記複数の受信部が受信する放送方式識別情報をそれぞれ前記表示部に表示する場合、現在切換え選択できない受信部の識別情報を消去するか若しくはトーンダウンして表示する表示処理部を有する。
【００１３】
またこの発明の一実施の形態では、異なる放送方式の放送信号を受信する複数の受信部と、前記複数の受信部に対応する複数のデコーダと、前記複数の受信部及び複数のデコーダのうち、選択された第１、第２の受信部の選局出力が対応する第１、第２のデコーダでデコードされ、この２つのデコード出力を第１、第２の映像信号に変換処理する信号処理部と、前記第１、第２の映像信号を１つの表示領域内の第１、第２の分割画面にそれぞれ表示する表示部と、第１、第２の分割画面側の一部のそれぞれに、他方の分割画面用としては未使用のために一方の分割画面用として使用することが可能となる受信部が受信する放送方式識別情報を表示する表示処理部を有する。
【発明の効果】
【００１４】
上記した手段によると、受信可能な放送方式と、受信不可の放送方式の案内表示を行なうことができるために、ユーザーは所望の放送方式のチャンネルを受信できるか否か容易に識別することができ、操作性が向上できるし、また装置の信頼性を維持できる。
【発明を実施するための最良の形態】
【００１５】
以下、図面を参照してこの発明の実施の形態を説明する。
【００１６】
以下、この発明の実施の形態について図面を参照して詳細に説明する。図１は、この発明の実施の形態で説明するテレビジョン放送受信装置１１の正面側の外観を示している。
【００１７】
図１において、このテレビジョン放送受信装置１１は、主として、装置本体となるほぼ四角形状に形成された薄型のキャビネット１２と、このキャビネット１２を起立させて支持するスタンド１３とから構成されている。
【００１８】
上記キャビネット１２には、その正面に、例えば平面型液晶表示パネル等でなる映像表示器１４の表示領域１４ａが露出されるとともに、一対のスピーカ１５、操作部１６、後述するリモートコントローラ（図１では図示せず）１７から送信される操作情報を受けるための受光部１８等が配置されている。
【００１９】
また、上記スタンド１３は、ほぼ薄型の箱状に形成されており、その一方の平面である底面板１３ａを、水平に設置された所定の基台（図示せず）上に載置するように構成されている。そして、このスタンド１３は、上記基台上に載置される面と反対側の面である上面板１３ｂのほぼ中央部から上方に突出する支持部材１９が、上記キャビネット１２の背面に連結されることにより、キャビネット１２を起立させた状態で支持している。
【００２０】
ここで、上記スタンド１３は、その内部に後述するＨＤＤユニット（図１では図示せず）２０を収容可能となされている。そして、このスタンド１３の上面板１３ｂには、キャビネット１２よりも正面側にせり出している部分に、ＨＤＤユニット２０を記録、再生、停止状態等に制御するための、押圧操作可能な複数（図示の場合は４つ）の操作子２１が配置されている。
【００２１】
図２は、上記テレビジョン放送受信装置１１の信号処理系を概略的に示している。この信号処理系を構成する各種の回路ブロックは、主として、上記キャビネット１２の内部で背面に近い位置、つまり、上記映像表示器１４の表示領域１４ａの裏側あたりに配置されている。
【００２２】
アナログテレビジョン放送受信用のアンテナ２７で受信したアナログテレビジョン放送信号は、入力端子２８を介してチューナ部２９に供給される。このチューナ部２９は、入力されたアナログテレビジョン放送信号から所望のチャンネルの信号を選局し復調している。このチューナ部２９から出力された信号は、Ａ／Ｄ（analog／digital）変換部３０によりデジタル化された後、セレクタ２６に出力される。
【００２３】
Ａ／Ｄ変換された信号が、ＨＤＤユニット２０にて記録される場合は、セレクタ２６に付随しているエンコーダにより、所定のフォーマット例えばＭＰＥＧ（moving picture experts group）２方式による圧縮処理が施された後、ＨＤＤユニット２０にて記録される。
【００２４】
また例えば地上波デジタルテレビジョン放送受信用のアンテナ２２Ａで受信したデジタルテレビジョン放送信号は、入力端子２３Ａを介してチューナ部２４Ａに供給される。このチューナ部２４Ａは、入力されたデジタルテレビジョン放送信号から所望のチャンネルの信号を選局し復調している。そして、このチューナ部２４Ａから出力された信号は、デコーダ部２５Ａに供給されて、例えばＭＰＥＧ（moving picture experts group）２デコード処理が施された後、セレクタ２６に供給される。
【００２５】
また例えば放送衛星（Broadcast Satellite）からの放送受信用のアンテナ２２Ｂで受信したデジタルテレビジョン放送信号は、入力端子２３Ｂを介してチューナ部２４Ｂに供給される。このチューナ部２４Ｂは、入力されたデジタルテレビジョン放送信号から所望のチャンネルのストリーム信号を選局し復調している。そして、このチューナ部２４Ｂから出力された信号は、デコーダ部２５Ｂに供給されてデコード処理が施された後、セレクタ２６に供給される。
【００２６】
さらにまた、例えば通信衛星（Communication Satellite）からの放送受信用のアンテナ２２Ｃで受信したデジタルテレビジョン放送信号は、入力端子２３Ｃを介してチューナ部２４Ｃに供給される。このチューナ部２４Ｃは、入力されたデジタルテレビジョン放送信号から所望のチャンネルのストリーム信号を選局し復調している。そして、このチューナ部２４Ｃから出力された信号は、デコーダ部２５Ｃに供給されてデコード処理が施された後、セレクタ２６に供給される。
【００２７】
また上記のチューナ部２４Ａ，２４Ｂ，２４Ｃの出力は、直接セレクタ２６に供給されている（図示せず）。この信号から映像・音声情報のパケットなどが分離され、この制御部３５を介して直接ＨＤＤユニット２０にて記録されることも可能である。
【００２８】
上記セレクタ２６は、複数の入力デジタル映像及び音声信号から１つ或いは複数を選択して、信号処理部３４に供給している。この信号処理部３４は、入力されたデジタル映像信号に所定の信号処理を施して上記映像表示器１４での映像表示に供させている。
【００２９】
映像表示部１４としては、例えば、液晶ディスプレイやプラズマディスプレイ等でなるフラットパネルディスプレイが採用される。また、上記信号処理部３４は、入力されたデジタル音声信号に所定の信号処理を施し、アナログ化して上記スピーカ１５に出力することにより、音声再生を行なっている。
【００３０】
ここで、このテレビジョン放送受信装置１１は、上記した各種の受信動作を含む種々の動作を制御部３５によって統括的に制御されている。この制御部３５は、ＣＰＵ（central processing unit）等を内蔵したマイクロプロセッサであり、上記操作部１６や操作子２１（図２では図示せず）からの操作情報、または、上記リモートコントローラ１７から送信された操作情報を受光部１８を介して受けることにより、その操作内容が反映されるように各部をそれぞれ制御している。
【００３１】
この場合、制御部３５は、メモリ部３６を使用している。このメモリ部３６は、主として、そのＣＰＵが実行する制御プログラムを格納したＲＯＭ（read only memory）と、該ＣＰＵに作業エリアを提供するためのＲＡＭ（random access memory）と、各種の設定情報及び制御情報等が格納される不揮発性メモリとを備えている。
【００３２】
ここで、制御部３５は、スタンド１３内に収容されたＨＤＤユニット２０と接続されている。この場合、制御部３５からＨＤＤユニット２０に電源電力及び制御信号の供給を行なうライン３７は、接続部３８を介して制御部３５とＨＤＤユニット２０とを接続している。
【００３３】
また、制御部３５とＨＤＤユニット２０との間でデジタル映像及び音声信号を授受するライン３９は、ｉ．Link接続部４０を介して制御部３５とＨＤＤユニット２０とを接続している。すなわち、制御部３５とＨＤＤユニット２０との間でのデジタル映像及び音声信号の伝送は、電源及び制御信号とは別個にｉ．Linkによって行なわれる。
【００３４】
上記テレビジョン放送受信装置１１は、セレクタ２６で選択されたデジタルの映像及び音声信号を、ＨＤＤユニット２０により記録することができるとともに、ＨＤＤユニット２０に記録されたデジタルの映像及び音声信号を再生し、視聴に供させることができる。
【００３５】
図３は、この発明の特徴の基本的要素の一例を示している。ここでは、アナログ系のチューナ部２９、復調部、Ａ／Ｄ変換部３０をまとめて、受信部及びデコーダ２９，３０として示している。またチューナ部２４Ａ，デコーダ部２４Ａをまとめて受信部及びデコーダ２４Ａ，２５Ａとして示している。またチューナ部２４Ｂ，デコーダ部２４Ｂをまとめて受信部及びデコーダ２４Ｂ，２５Ｂとして示している。またチューナ部２４Ｃ，デコーダ部２４Ｃをまとめて受信部及びデコーダ２４Ｃ，２５Ｃとして示している。
【００３６】
今、上記装置では、アナログ放送受信部「地上Ａ」が１つ、地上波デジタル放送受信部「地上Ｄ」が１つ、ＢＳ放送受信部「ＢＳ」が１つ、ＣＳ放送受信部「ＣＳ」が１つ存在するものとして示している。また、この装置では、表示器１４において、１つの表示領域１４ａ内に、第１、第２の画面１４ａ１，１４ａ２を分割表示することができるものとして説明する。
【００３７】
このために、例えば、第１の画面にアナログ放送のチャンネルの映像を表示し、第２の画面に地上波デジタル放送のチャンネルの映像を表示することができる。また、第１の画面に地上波デジタル放送のチャンネルの映像を表示し、第２の画面に衛星（ＢＳ又はＣＳ）放送によるチャンネルの映像を表示することもできる。
【００３８】
但し、上記の構成であると、第１の画面と第２の画面の両方に同時にアナログ放送のチャンネルの映像を表示することはできない。また第１の画面と第２の画面に同時に地上波デジタル放送のチャンネルの映像を表示することはできない。
【００３９】
ここで制御部３５は、以下のブロックを含む。操作入力判別部３５ａ，使用中の受信部及びデコーダ判別部３５ｂ、利用可能な受信部及びデコーダ判別部３５ｃ、情報表示処理部３５ｄを含む。
【００４０】
操作入力判別部３５ａは、リモートコントローラ１７によって入力された操作を処理する。この操作入力判別部３６ａからの判別結果に応じて装置の各部の初期動作がスタートする。
【００４１】
使用中の受信部及びデコーダ判別部３５、操作内容に応じて、現在使用しているチューナ部とデコーダ部を把握している。さらに装置には、未使用の受信部及びデコーダを利用可能な受信部及びデコーダ判別部３５ｃにより把握する。この把握は、受信部及びデコーダのセレクタの制御情報をチェックすることで容易に行なうことができる。
【００４２】
したがって、現在使用しているチューナ部とデコーダ部とを除くと、第２の画面での映像表示に利用可能な受信部及びデコーダ部が判明する。
【００４３】
つまり、上記の装置であると、今、（１）第１の画面にアナログ放送のチャンネルの映像を表示しているときは、第２の画面でアナログ放送のチャンネルの映像を表示することはできないことが把握される。逆に第２の画面では、地上波デジタル放送、又はＢＳ放送、又はＣＳ放送のいずれかのチャンネルの映像を表示することが可能であることが判明する。また、（２）第１の画面に地上波デジタル放送のチャンネルの映像を表示しているときは、第２の画面で地上波デジタル放送のチャンネルの映像を表示することはできないことが把握される。逆に第２の画面では、アナログ放送、又はＢＳ放送、又はＣＳ放送のいずれかのチャンネルの映像を表示することが可能であることが判明する。また、（３）第１の画面にＢＳ放送のチャンネルの映像を表示しているときは、第２の画面でＢＳ放送のチャンネルの映像を表示することはできないことが把握される。逆に第２の画面では、アナログ放送、又は地上波デジタル放送、又はＣＳ放送のいずれかのチャンネルの映像を表示することが可能であることが判明する。また、（４）第１の画面にＣＳ放送のチャンネルの映像を表示しているときは、第２の画面でＣＳ放送のチャンネルの映像を表示することはできないことが把握される。逆に第２の画面では、アナログ放送、又は地上波デジタル放送、又はＢＳ放送のいずれかのチャンネルの映像を表示することが可能であることが判明する。
【００４４】
本発明に係る装置は、上記のように受信可能な放送方式を、装置の状態として表示領域の一部に表示することができる。その表示データを出力する部分が、状態表示処理部３５ｄであり、ここで生成された表示データが、信号処理部３４を介して、表示器１４の一部に表示される。
【００４５】
第１の画面１４ａ１に近接して、現在この画面で表示されている放送方式とそのチャンネルを表示する表示番組のチャンネル表示領域ａ１１が確保されている。また第２の画面１４ａ２に近接して、現在この画面で表示されている放送方式とそのチャンネルを表示する表示番組のチャンネル表示領域ａ２２が確保されている。
【００４６】
さらにまた、第１の画面１４ａ１に近接して、この画面１４ａ１側で受信可能な放送方式のマーク（或いはシンボル、記号）が表示若しくはハイライト表示され、受信不可能な放送方式のマークが消去若しくはトーンダウン表示される。同様に、第２の画面１４ａ２に近接して、この画面１４ａ２側で受信可能な放送方式のマーク（或いはシンボル、記号）が表示若しくはハイライト表示され、受信不可能な放送方式のマークが消去若しくはトーンダウン表示される。
【００４７】
この結果、ユーザーは、各画面において受信可能な放送方式を容易に認識することができる。ユーザーが、第２の画面に所望のチャンネルの映像を表示できないために、混乱を生じるということがなくなる。また、操作が間違っているのか、受信装置が故障しているのかの混乱を招くことが防止される。
【００４８】
図４（Ａ）には、受信装置に搭載されているチューナと、第１画面と第２画面でそれぞれ現在選択している放送方式と、この状態で、第１画面と第２画面でそれぞれ選択できる放送方式の関係を示す情報をパターン化した例を示している。このパターンはテーブルとして例えば、メモリ部３６に格納されてもよい。
【００４９】
図４（Ａ）の場合は、地上波アナログ放送の受信部が１台、地上波デジタル放送の受信部が１台、ＢＳ放送の受信部が１台、ＣＳ放送の受信部が１台、搭載されているデジタルテレビジョン受信装置の例を示している。
【００５０】
選択可能な放送方式は丸印であり、選択不可能な放送方式は、ばつ印で示している。図面では、地上Ａ…地上波アナログ放送、地上Ｄ…地上波デジタル放送、ＢＳ…放送衛星放送、ＣＳ…通信衛星放送を意味する。
【００５１】
図４（Ａ）には、４つのケースを示している。今、ケース１のように、第１画面については「地上Ａ」が選択され、第２画面については、「地上Ｄ」が選択されているものとする。すると、第１画面については「地上Ｄ」が選択不可であり、第２画面については、「地上Ａ」が選択不可である。
【００５２】
ケース２のように第１画面については「地上Ｄ」が選択され、第２画面については、「ＢＳ」が選択されているものとする。すると、第１画面については「ＢＳ」が選択不可であり、第２画面については、「地上Ｄ」が選択不可である。
【００５３】
ケース３のように第１画面については「ＢＳ」が選択され、第２画面については、「ＳＣ」が選択されているものとする。すると、第１画面については「ＣＳ」が選択不可であり、第２画面については、「ＢＳ」が選択不可である。
【００５４】
ケース４のように第１画面については「ＣＳ」が選択され、第２画面については、「地上Ａ」が選択されているものとする。すると、第１画面については「地上Ａ」が選択不可であり、第２画面については、「ＣＳ」が選択不可である。
【００５５】
図４（Ｂ）には、他の例を示している。この例は、地上波アナログ放送の受信部が１台、地上波デジタル放送の受信部が２台（地上Ｄ１，地上Ｄ２）、ＢＳ放送の受信部が１台、ＣＳ放送の受信部が１台、搭載されているデジタルテレビジョン受信装置の例を示している。ここでは、５つのケースを示している。
【００５６】
今、ケース１のように、第１画面については「地上Ａ」が選択され、第２画面については、「地上Ｄ１」が選択されているものとする。すると、第１画面については全てが選択不可であり、第２画面については、「地上Ａ」が選択不可である。
【００５７】
ケース２のように第１画面については「地上Ｄ１」が選択され、第２画面については、「地上Ｄ２」が選択されているものとする。すると、第１画面及び第２画面共にいずれの放送方式も選択可能である。
【００５８】
ケース３のように第１画面については「地上Ｄ２」が選択され、第２画面については、「ＢＳ」が選択されているものとする。この場合は、第１画面については「ＢＳ」が選択不可であり、第２画面については、いずれの放送方式も選択可能である。
【００５９】
ケース４のように第１画面については「ＢＳ」が選択され、第２画面については、「ＣＳ」が選択されているものとする。すると、第１画面については「ＣＳ」が選択不可であり、第２画面については、「ＢＳ」が選択不可である。
【００６０】
ケース５のように第１画面については「ＣＳ」が選択され、第２画面については、「地上Ａ」が選択されているものとする。すると、第１画面については「地上Ａ」が選択不可であり、第２画面については、「ＣＳ」が選択不可である。
【００６１】
図５には、図４（Ａ）に示した設定のもとで、表示器１４の表示領域１４ａに２画面が構成された例を示している。
【００６２】
この例は、第1画面で「地上Ｄ」が選択され、第２画面で「ＢＳ」が選択された様子を示している。図４（Ａ）のケース２の例である。
【００６３】
この場合は、第１の画面１４ａ１に近接して、現在この画面で表示されている放送方式とそのチャンネルを表示する表示番組のチャンネル表示領域ａ１１が確保されている。この表示領域ａ１１には、現在の画面が、「地上Ｄ」のチャンネル０１１であり、番組名が「タイガーの尾」であることを示している。
【００６４】
さらに、第１の画面１４ａ１に近接して、この画面１４ａ１側で受信可能な放送方式のマーク（或いはシンボル、記号或いは放送方式識別情報）がハイライト表示され、受信不可能な放送方式のマークがトーンダウン表示（消去でもよい）される。つまり、ここでは、マークとして、「地上Ａ」，「地上Ｄ」、「ＣＳ」がハイライト表示され、「ＢＳ」がトーンダウン（消去でもよい）されて表示されている。これは「ＢＳ」のチューナが、第２画面側で使用中であるからである。
【００６５】
また第２の画面１４ａ２に近接して、現在この画面で表示されている放送方式とそのチャンネルを表示する表示番組のチャンネル表示領域ａ２２が確保されている。この表示領域ｂ１１には、現在の画面が、「ＢＳ」のチャンネル１５２であり、番組名が「人間ドキュメント・１０２の教授」であることを示している。
【００６６】
さらにまた、第１の画面１４ａ２に近接して、この画面１４ａ２側で受信可能な放送方式のマーク（或いはシンボル、記号、或いは放送方式識別情報）がハイライト表示され、受信不可能な放送方式のマークがトーンダウン表示（消去でもよい）される。ここでは、マークとして、「地上Ａ」，「ＢＳ」、「ＣＳ」がハイライト表示され、「地上Ｄ」がトーンダウン（消去でもよい）されて表示されている。これは「地上Ｄ」のチューナが、第１画面側で使用中であるからである。
【００６７】
上記したように、受信可能な放送方式が表示されることにより、ユーザは、どのような放送方式を受信できるのか混乱を招くことなく、安心して装置を操作することができる。
【００６８】
図６は、上記の装置の動作例を実現するために示したフローチャートである。チューナの選択及び選局操作があった場合（ステップＳＡ１）、その操作は第１画面用であるのか第２画面用であるのかの判定が成される（ステップＳＡ２）。第１画面用の操作であった場合、第１画面に関してテーブルが参照される（ステップＳＡ３）。テーブルは、図４（Ａ）或いは図４（Ｂ）の論理判定に基づいて構築される。次に念のために、選択されたチューナは使用可能か否かの判定が成される（ステップＳＡ４）。使用不可であれば警告が表示される（ステップＳＡ７）。
【００６９】
使用可能であれば、ハイライトマークとトーンダウンマーク（或いは消去）とを決定し、図５で示したような放送方式のマーク表示（放送方式識別情報表示）を得る。そして具体的に選択及び選局動作が実行される（ステップＳＡ５）。そして最終的に、放送方式の識別表示についてハイライトマークとトーンダウンマーク（或いは消去）が決定されて表示される（ステップＳＡ７）。
【００７０】
第２画面側が操作される場合も同様である。即ち、第２画面用の操作があった場合、第２画面に関してテーブルが参照される（ステップＳＡ８）。次に、選択されたチューナは使用可能か否かの判定が成される（ステップＳＡ９）。使用不可であれば警告が表示される（ステップＳＡ７）。使用可能であれば、ハイライトマークとトーンダウンマークとを決定し、図５で示したような放送方式のマーク表示を得る。そして具体的に選択及び選局動作が実行される（ステップＳＡ１０）。そして最終的に、放送方式の識別表示についてハイライトマークとトーンダウンマーク（或いは消去）が決定されて表示される（ステップＳＡ１１）。
【００７１】
この発明は、上記の実施の形態に限定されるものではない。上記の実施形態では、デジタルテレビジョン放送受信装置が２画面を表示し、複数のチューナ及びデコーダを同時に利用する形態を示した。しかし複数のチューナ及びデコーダを同時に利用する形態は２画面表示の例に限定されるものではない。
【００７２】
図７には、この発明の別の実施形態を示している。このテレビジョン放送受信装置１１には、「地上Ａ」、「地上Ｄ」、「ＢＳ／ＣＳ」の放送を任意に選択可能な場合の例を示している。今、
そして、テレビジョン放送受信装置１１がある放送方式の番組（例えば「地上Ｄ」の番組）を受信しており、１画面表示状態であるが、同時に別の放送方式の番組（例えば「ＢＳ」の番組）がＨＤＤ１１にて録画されている様子を示している。このような場合は、テレビジョン放送受信装置１１の画面では、拡大図で示すように、「ＣＳ」の識別情報が、トーンダウン表示若しくは消去される。つまり、ユーザーは、「ＣＳ」を除く放送方式を選択するようにガイドされる。「ＢＳ」に関しては、「ＢＳ」放送のチャンネルを選択可能である。
【００７３】
また、受信部及びデコーダの数は上記の実施形態に限定されるものではない。例えば「地上Ａ」、「地上Ｄ」、「ＢＳ」、「ＣＳ」対応の受信部が２台ずつ搭載されることもある。このような場合は、図８に示すように、第１画面、第２画面では、他方の画面の状態に関係なくいずれの放送方式を選択することも可能となる。
【００７４】
図９には、リモートコントローラ１７の外観を示している。さきの２画面表示と１画面表示状態は、二画面キー１７ｑを操作することにより、繰り返し画面状態を切換えることができる。またこのリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ等が設けられている。またちょっとタイムキー１７ｐも設けられている。例えばオンエアー放送中の番組視聴中に中座する場合、このキー１７ｐを押すと、一定時間の間は、その番組の録画を開始して一時保存を行なうようになっている。そして、受信装置の場所にユーザーが戻ってきたとき、ちょっとタイムキー１７ｐを再度押すと、中座したときのシーンからの映像を再生させることができる。いわゆる追っかけ再生を行なう。これによりユーザーは、視聴番組の内容を飛ばすことなく視聴できる。
【００７５】
この発明は上記の実施の形態に限定されるものではない。例えばメモリ部３６には、複数の種類のテーブルが予め格納されていてもよい。そして、装置の種類（性能）に応じて、使用するテーブルが選択されるようにしてもよい。つまり、複数の受信部及び複数のデコーダのテーブル格納部が設けられる。そして、テーブルには、第１、第２の受信部及び第１、第２のデコーダの選択が決まったときに、他方の分割画面用に使用されるために一方の分割画面用として使用することが不可となる受信部と、使用可能な受信部の識別情報が記述されている。そして、さらに前記テーブルは、装置に搭載される受信部の数及び方式、デコーダの数及び方式に応じて複数の種類のテーブルが用意されているのである。
【００７６】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００７７】
【図１】この発明が適用された放送受信装置の概観を示す説明図である。
【図２】上記の放送受信装置の内部のブロックを示す説明図である。
【図３】この発明の要部を取り出して示す構成説明図である。
【図４】この発明の装置の動作例を説明するためのテーブルの例を示す説明図である。
【図５】この発明の装置により、表示器の表示形態の例を示す説明図である。
【図６】この発明の装置の動作例を説明するために示したフローチャートである。
【図７】この発明の装置の他の例を説明するための構成図である。
【図８】この発明の装置の他の動作例を説明するためのテーブルの例を示す説明図である。
【図９】リモートコントローラの概観を示す説明図である。
【符号の説明】
【００７８】
１１…テレビジョン放送受信装置、１２…キャビネット、１３…スタンド、１４…映像表示器、１５…スピーカ、１６…操作部、１７…リモートコントローラ、１８…受光部、１９…支持部材、２０…ＨＤＤユニット、２２…アンテナ、２３…入力端子、２４…チューナ部、２５…デコーダ部、２６…セレクタ、２７…アンテナ、２８…入力端子、２９…チューナ部、３０…Ａ／D変換部、３１…入力端子、３２…Ａ／Ｄ変換部、３３…入力端子、３４…信号処理部、３５…制御部、３６…メモリ部、３７…ライン、３８…接続部、３９…ライン、４０…ｉ．Link接続部。
【図１】
2007060297.tif 000003
【図２】
2007060297.tif 000004
【図３】
2007060297.tif 000005
【図４】
2007060297.tif 000006
【図５】
2007060297.tif 000007
【図６】
2007060297.tif 000008
【図７】
2007060297.tif 000009
【図８】
2007060297.tif 000010
【図９】
2007060297.tif 000011